Podtech/llm-jp-corpus-v4-ja_patent huggingface dataset:
【手続補正書】
【提出日】令和3年6月23日(2021.6.23)
【手続補正１】
【補正対象書類名】特許請求の範囲
【補正対象項目名】全文
【補正方法】変更
【補正の内容】
【特許請求の範囲】
【請求項１】
複数の記憶領域を有する記憶装置を有する画像形成装置であって、
前記複数の記憶領域に含まれる記憶領域に記憶されたファイルに含まれる管理情報が読み出し可能か否かを確認する第１確認処理を実行し、前記複数の記憶領域の全ての領域を読み出し、読み出しエラーが生じなかった領域を残し且つ読み出しエラーが生じた領域を取り除く第２確認処理を実行しない第１処理と、前記第１確認処理と前記第２確認処理を実行する第２処理と、を実行可能な制御手段と、
ユーザから指示を受け付けることに基づいて、前記画像形成装置の起動時における前記第２処理の実行を予約し、前記ファイルの読み出しエラーが発生したことに基づいて、前記画像形成装置の起動時における前記第１処理の実行を自動的に予約する予約手段と、
を有することを特徴とする画像形成装置。
【請求項２】
前記複数の記憶領域のそれぞれに対応付けて予約情報を記憶する不揮発性メモリと、
画像形成装置の電力制御を行う電力制御手段と、を有し、
前記電力制御手段は、前記第１処理または前記第２処理の実行が予約されている場合には、前記画像形成装置の電源をオフにし、
前記制御手段は、前記画像形成装置の電源が前記オフの状態から最初に起動した際に、前記不揮発性メモリから読み出した予約情報に基づく処理を実行することを特徴とする請求項１に記載の画像形成装置。
【請求項３】
前記予約手段は、前記ファイルを記憶する前記記憶領域と前記複数の記憶領域のうち前記記憶領域と異なる少なくとも１つの記憶領域とグループ関係にある場合、前記複数の記憶領域の少なくとも１つの記憶領域に対して、前記第１処理または前記第２処理の実行を予約することを特徴とする請求項１または２に記載の画像形成装置。
【請求項４】
エラー通知を表示する表示手段と、を有し、
前記制御手段は、前記ファイルの読み出しエラーの発生に応じて前記表示手段にエラー通知画面が表示させた場合には、前記画像形成装置が使用不能とした状態で、前記第１処理の実行を保留することを特徴とする請求項１乃至３のいずれか１項に記載の画像形成装置。
【請求項５】
前記制御手段は、前記ファイルの読取エラーの検出に応答して前記表示手段に前記エラー通知画面を表示させない場合には、前記画像形成装置が使用可能な状態で前記第１の処理又は前記第２の処理の実行を保留することを特徴とする請求項４に記載の画像形成装置。
【請求項６】
前記表示手段は、前記制御手段が前記第１の処理又は前記第２の処理の実行を予約している場合には、前記画像形成装置の電源をオフにするようにユーザに促す情報を表示することを特徴とする請求項４または５に記載の画像形成装置。
【請求項７】
前記制御手段は、前記ファイルの読み取りエラーの検出に応答して、前記画像形成装置の電源がオンされたままの状態で、前記ファイルに対応する前記管理情報に対して第２の処理を実行することを特徴とする請求項１乃至６のいずれか１項に記載の画像形成装置。
【請求項８】
第１確認処理は、管理情報が格納されているアドレスの終点に端末記号が格納されていないことが原因で読み出しエラーが発生した場合に、管理情報が通常格納されているアドレスの終点に端末記号が格納される処理であることを特徴とする請求項１乃至７のいずれか１項に記載の画像形成装置。
【請求項９】
複数の記憶領域を有する記憶装置と、前記複数の記憶領域に含まれる記憶領域に記憶されたファイルに含まれる管理情報が読み出し可能か否かを確認する第１確認処理を実行し、前記複数の記憶領域の全ての領域を読み出し、読み出しエラーが生じなかった領域を残し且つ読み出しエラーが生じた領域を取り除く第２確認処理を実行しない第１処理と、前記第１確認処理と前記第２確認処理を実行する第２処理と、を実行可能な制御手段と、を有する画像形成装置の制御方法であって、
ユーザから指示を受け付ける工程と、
ユーザから指示を受け付けることに基づいて、前記画像形成装置の起動時における前記第２処理の実行を予約する工程と、
前記ファイルの読み出しを行う工程と、
前記ファイルの読み出しエラーが発生したことに基づいて、前記画像形成装置の起動時における前記第１処理の実行を自動的に予約する工程と、
を有することを特徴とする画像形成装置の制御方法。
【請求項１０】
請求項９に記載の制御方法を、コンピュータに実行させるためのプログラム。
【請求項１１】
請求項１０に記載のプログラムを格納したコンピュータで読み取り可能な記憶媒体。
【手続補正書】
【提出日】令和3年6月10日(2021.6.10)
【手続補正１】
【補正対象書類名】特許請求の範囲
【補正対象項目名】全文
【補正方法】変更
【補正の内容】
【特許請求の範囲】
【請求項１】
情報処理装置にプリンタドライバをインストールするインストーラであって、前記情報処理装置を、
前記情報処理装置が接続されたネットワーク上に存在する共有プリンタのうち、前記インストールするプリンタドライバと互換性のないプリンタドライバが関連付けられた共有プリンタは表示せずに、互換性のあるプリンタドライバが関連付けられた共有プリンタを表示手段に表示する制御手段と、
前記表示された共有プリンタの選択をユーザから受け付ける受付手段と、
前記選択された共有プリンタを、前記プリンタドライバにより生成される印刷データの出力先ポートに設定する設定手段として機能させることを特徴とするインストーラ。
【請求項２】
前記情報処理装置を、さらに、
前記情報処理装置が接続されたネットワーク上に存在する共有プリンタに関連付けられたプリンタドライバが、前記インストールするプリンタドライバと互換性があるか判定する判定手段として機能させることを特徴とする請求項１に記載のインストーラ。
【請求項３】
情報処理装置にプリンタドライバをインストールするインストーラであって、前記情報処理装置を、
前記情報処理装置が接続されたネットワーク上に存在する共有プリンタが、所定の属性を持つプリンタドライバが関連付けられた共有プリンタを判定する判定手段と、
前記所定の属性を持つプリンタドライバが関連付けられていると判定されなかった共有プリンタは表示手段に表示せずに、前記所定の属性を持つプリンタドライバが関連付けられていると判定された共有プリンタを前記表示手段に表示する制御手段と、
前記表示された共有プリンタの選択をユーザから受け付ける受付手段と、
前記選択された共有プリンタを、前記プリンタドライバにより生成される印刷データの出力先ポートに設定する設定手段として機能させることを特徴とするインストーラ。
【請求項４】
前記判定手段は、前記共有プリンタに関連付けられたプリンタドライバの製造元に基づいて、前記判定を行う請求項２又は３に記載のインストーラ。
【請求項５】
前記判定手段は、前記共有プリンタに関連付けられたプリンタドライバのサポートするPDL種に基づいて、前記判定を行う請求項２乃至４の何れか1項に記載のインストーラ。
【請求項６】
前記判定手段は、前記共有プリンタに関連付けられたプリンタドライバのバージョンに基づいて、前記判定を行う請求項２乃至５の何れか１項に記載のインストーラ。
【請求項７】
前記選択された共有プリンタが前記出力先ポートとなるように前記プリンタドライバをインストールするインストール手段をさらに有することを特徴とする請求項１乃至６の何れか一向に記載のインストーラ。
【手続補正２】
【補正対象書類名】明細書
【補正対象項目名】０００９
【補正方法】変更
【補正の内容】
【０００９】
本発明は、情報処理装置にプリンタドライバをインストールするインストーラであって、前記情報処理装置を、前記情報処理装置が接続されたネットワーク上に存在する共有プリンタのうち、前記インストールするプリンタドライバと互換性のないプリンタドライバが関連付けられた共有プリンタは表示せずに、互換性のあるプリンタドライバが関連付けられた共有プリンタを前記表示手段に表示する制御手段と、前記表示された共有プリンタの選択をユーザから受け付ける受付手段と、前記選択された共有プリンタを、前記プリンタドライバにより生成される印刷データの出力先ポートに設定する設定手段として機能させることを特徴とする。
【手続補正３】
【補正対象書類名】図面
【補正対象項目名】図２
【補正方法】変更
【補正の内容】
【図２】
2020004125.tif 000001
【手続補正４】
【補正対象書類名】図面
【補正対象項目名】図３
【補正方法】変更
【補正の内容】
【図３】
2020004125.tif 000002
【手続補正５】
【補正対象書類名】図面
【補正対象項目名】図４
【補正方法】変更
【補正の内容】
【図４】
2020004125.tif 000003
【手続補正６】
【補正対象書類名】図面
【補正対象項目名】図５
【補正方法】変更
【補正の内容】
【図５】
2020004125.tif 000004
【手続補正７】
【補正対象書類名】図面
【補正対象項目名】図６
【補正方法】変更
【補正の内容】
【図６】
2020004125.tif 000005
【手続補正８】
【補正対象書類名】図面
【補正対象項目名】図７
【補正方法】変更
【補正の内容】
【図７】
2020004125.tif 000006
【手続補正９】
【補正対象書類名】図面
【補正対象項目名】図９
【補正方法】変更
【補正の内容】
【図９】
2020004125.tif 000007
【手続補正１０】
【補正対象書類名】図面
【補正対象項目名】図１１
【補正方法】変更
【補正の内容】
【図１１】
2020004125.tif 000008
【手続補正１１】
【補正対象書類名】図面
【補正対象項目名】図１２
【補正方法】変更
【補正の内容】
【図１２】
2020004125.tif 000009
【手続補正１２】
【補正対象書類名】図面
【補正対象項目名】図１６
【補正方法】変更
【補正の内容】
【図１６】
2020004125.tif 000010
【手続補正１３】
【補正対象書類名】図面
【補正対象項目名】図１８
【補正方法】変更
【補正の内容】
【図１８】
2020004125.tif 000011
【手続補正１４】
【補正対象書類名】図面
【補正対象項目名】図１９
【補正方法】変更
【補正の内容】
【図１９】
2020004125.tif 000012
【手続補正書】
【提出日】令和3年6月29日(2021.6.29)
【手続補正１】
【補正対象書類名】特許請求の範囲
【補正対象項目名】全文
【補正方法】変更
【補正の内容】
【特許請求の範囲】
【請求項１】
複数のプリンターの何れでも処理できる印刷データを生成するために使用されるプリンタードライバーと、前記複数のプリンターのうちの少なくとも１つのプリンターが持ちうる第１の機能の情報とを予め保存している情報処理装置であって、
前記プリンタードライバーと前記第１の機能の情報とが予め保存されている状態で、前記複数のプリンターのうちの第１のプリンターが持ちうる第２の機能の情報を、前記第２の機能の情報を予め保存しているサーバーから取得する第１の取得手段と、
前記第１の機能を前記第１のプリンターが持つか否かを示す第１の情報、及び、前記情報を取得した第２の機能を前記第１のプリンターが持つか否かを示す第２の情報を、前記サーバーを経由することなく取得する第２の取得手段と、
前記取得した第１の情報と第２の情報とに基づく印刷設定画面を表示手段に表示する手段と、
前記表示された印刷設定画面を介して設定された印刷設定値に基づく印刷命令を、前記プリンタードライバーを用いて生成する生成手段と
を有することを特徴とする情報処理装置。
【請求項２】
前記第１の情報及び前記第２の情報は、前記第１のプリンターの構成情報であることを特徴とする請求項１に記載の情報処理装置。
【請求項３】
前記第１の機能の情報は、前記プリンタードライバーによって使用されるデータが格納される記憶領域に保存される、
ことを特徴とする請求項１又は２に記載の情報処理装置。
【請求項４】
前記第１の機能の情報は、複数のベンダのプリンターが有する一般的な機能の情報であり、前記第２の機能の情報は、ベンダ固有の機能の情報である
ことを特徴とする請求項１〜３の何れか１項に記載の情報処理装置。
【請求項５】
前記サーバーから前記第２の情報を取得するように前記印刷設定のアプリケーションを実行する
ことを特徴とする請求項１〜４の何れか１項に記載の情報処理装置。
【請求項６】
複数のプリンターの何れでも処理できる印刷データを生成するために使用されるプリンタードライバーと、前記複数のプリンターのうちの少なくとも１つのプリンターが持ちうる第１の機能の情報とを予め保存している情報処理装置の制御方法であって、
前記プリンタードライバーと前記第１の機能の情報とが予め保存されている状態で、前記複数のプリンターのうちの第１のプリンターが持ちうる第２の機能の情報を、前記第２の機能の情報を予め保存しているサーバーから取得する第１の取得工程と、
前記第１の機能を前記第１のプリンターが持つか否かを示す第１の情報、及び、前記情報を取得した第２の機能を前記第１のプリンターが持つか否かを示す第２の情報を、前記サーバーを経由することなく取得する第２の取得工程と、
前記取得した第１の情報と第２の情報とに基づく印刷設定画面を表示手段に表示する工程と、
前記表示された印刷設定画面を介して設定された印刷設定値に基づく印刷命令を、前記プリンタードライバーを用いて生成する生成工程
とを有することを特徴とする情報処理装置の制御方法。
【請求項７】
請求項６に記載の情報処理装置の制御方法を、コンピュータに実行させるためのプログラム。
【請求項８】
複数のプリンターの何れでも処理可能な印刷データを生成することができるプリンタードライバーと、前記複数のプリンターのうちの少なくとも１つのプリンターが持ちうる第１の機能の情報とを予め保存している情報処理装置に、
サーバーから前記複数のプリンターのうちの第１のプリンターが持ちうる第２の機能の情報を取得する第１の取得工程と、
前記情報を取得した前記第２の機能を前記第１のプリンターが持つか否かを示す第２の情報を、前記サーバーを経由することなく取得する第２の取得工程と、
前記第１のプリンターが前記第１の機能を有するか否かを示す第１の情報と、前記第２の取得工程で取得した第２の情報とに基づき、表示する印刷設定画面を決定する決定工程と、
前記決定された印刷設定画面を表示手段に表示する表示工程と、
ユーザによって前記印刷設定画面を介して設定された印刷設定値を提供する提供工程とを実行させ、当該提供された印刷設定値に基づく印刷命令が前記プリンタードライバーにより生成されることを特徴とする印刷設定アプリケーション。
【請求項９】
前記第１の情報及び前記第２の情報は、前記第１のプリンターの構成情報であることを特徴とする請求項８に記載の印刷設定アプリケーション。
【請求項１０】
前記第１の機能の情報は、前記プリンタードライバーによって使用されるデータが格納される記憶領域に保存されている、
ことを特徴とする請求項８又は９に記載の印刷設定アプリケーション。
【請求項１１】
前記第１の機能の情報は、複数のベンダのプリンターが持ちうる一般的な機能の情報であり、前記第２の機能の情報は、ベンダ固有の機能の情報である
ことを特徴とする請求項８〜１０の何れか１項に記載の印刷設定アプリケーション。
【請求項１２】
前記生成された印刷命令に基づく印刷が前記第１のプリンターで行われることを特徴とする請求項８〜１１の何れか１項に記載の印刷設定アプリケーション。
【手続補正２】
【補正対象書類名】明細書
【補正対象項目名】００１２
【補正方法】変更
【補正の内容】
【００１２】
本発明は、複数のプリンターの何れでも処理できる印刷データを生成するために使用されるプリンタードライバーと、前記複数のプリンターのうちの少なくとも１つのプリンターが持ちうる第１の機能の情報とを予め保存している情報処理装置であって、前記プリンタードライバーと前記第１の機能の情報とが予め保存されている状態で、前記複数のプリンターのうちの第１のプリンターが持ちうる第２の機能の情報を、前記第２の機能の情報を予め保存しているサーバーから取得する第１の取得手段と、前記第１の機能を前記第１のプリンターが持つか否かを示す第１の情報、及び、前記情報を取得した第２の機能を前記第１のプリンターが持つか否かを示す第２の情報を、前記サーバーを経由することなく取得する第２の取得手段と、前記取得した第１の情報と第２の情報とに基づく印刷設定画面を表示手段に表示する手段と、前記表示された印刷設定画面を介して設定された印刷設定値に基づく印刷命令を、前記プリンタードライバーを用いて生成する生成手段とを有することを特徴とする。
【手続補正３】
【補正対象書類名】明細書
【補正対象項目名】発明の名称
【補正方法】変更
【補正の内容】
【発明の名称】情報処理装置、情報処理装置の制御方法、プログラム及びアプリケーション
【手続補正書】
【提出日】令和3年7月1日(2021.7.1)
【手続補正１】
【補正対象書類名】特許請求の範囲
【補正対象項目名】全文
【補正方法】変更
【補正の内容】
【特許請求の範囲】
【請求項１】
第１のユーザ操作に基づきプリンタを探索する探索手段と、
前記探索手段により検出されたプリンタに送信する印刷データを生成するプリンタドライバをインストールするインストール手段と、
イントールした前記プリンタドライバが生成する印刷データに含まれる印刷設定を設定するための印刷設定画面であって、外部サーバから取得した前記プリンタの能力情報に基づく印刷設定画面を表示するアプリケーションを前記外部サーバから取得する取得手段と、
前記アプリケーションと前記能力情報が取得された状態で、第２のユーザ操作を受け付ける受付手段と、
前記第２のユーザ操作に基づき、前記アプリケーションに前記印刷設定画面を表示させる表示制御手段と、
前記プリンタドライバが生成した印刷データであって、前記印刷設定画面で設定された設定を含む印刷データを前記プリンタに送信する送信手段と、を有することを特徴とする情報処理装置。
【請求項２】
前記プリンタから前記プリンタの識別情報を取得する他の取得手段をさらに有し、
前記取得手段は、前記他の取得手段が取得した前記プリンタの識別情報を用いて取得したアプリケーションの識別情報を用いて、前記アプリケーションを取得することを特徴とする請求項１に記載の情報処理装置。
【請求項３】
前記他の取得手段が取得した前記プリンタの識別情報を用いて、前記プリンタの能力情報を取得することを特徴とする請求項２に記載の情報処理装置。
【請求項４】
前記プリンタの識別情報は、前記プリンタのハードウェアＩＤであることを特徴とする請求項２または３に記載の情報処理装置。
【請求項５】
前記能力情報は、前記プリンタドライバのインストール開始から、前記印刷設定画面の表示までに取得されることを特徴とする請求項１乃至４のいずれか一項に記載の情報処理装置。
【請求項６】
前記能力情報は、前記印刷設定画面で設定することができる設定項目と、当該設定項目において選択可能な選択肢を示す情報を含むことを特徴とする請求項１乃至５のいずれか一項に記載の情報処理装置。
【請求項７】
前記外部サーバは、検出した前記プリンタとは異なる装置であることを特徴とする請求項１乃至６のいずれか一項に記載の情報処理装置。
【請求項８】
前記第２のユーザ操作は、前記第１のユーザ操作と異なる操作であることを特徴とする請求項１乃至７のいずれか一項に記載の情報処理装置。
【請求項９】
前記第２のユーザ操作は、印刷に使用するプリンタをユーザが選択することができる画面において受け付けられる操作であることを特徴とする請求項１乃至８のいずれか一項に記載の情報処理装置。
【請求項１０】
情報処理装置の制御方法であって、
第１のユーザ操作に基づきプリンタを探索する探索工程
前記探索工程において検出されたプリンタに送信する印刷データを生成するプリンタドライバをインストールするインストール工程と、
イントールした前記プリンタドライバが生成する印刷データに含まれる印刷設定を設定するための印刷設定画面であって、外部サーバから取得した前記プリンタの能力情報に基づく印刷設定画面を表示するアプリケーションを前記外部サーバから取得する取得工程と、
前記アプリケーションと前記能力情報が取得された状態で、第２のユーザ操作を受け付ける受付工程と、
前記第２のユーザ操作に基づき、前記アプリケーションに前記印刷設定画面を表示させる表示制御工程と、
前記プリンタドライバが生成した印刷データであって、前記印刷設定画面で設定された設定を含む印刷データを前記プリンタに送信する送信工程と、を有することを特徴とする情報処理装置の制御方法。
【請求項１１】
コンピュータを、請求項１乃至９のいずれか一項に記載の各手段として機能させるためのコンピュータプログラム。
【手続補正２】
【補正対象書類名】明細書
【補正対象項目名】発明の名称
【補正方法】変更
【補正の内容】
【発明の名称】情報処理装置、情報処理装置の制御方法及びコンピュータプログラム
【手続補正３】
【補正対象書類名】明細書
【補正対象項目名】０００１
【補正方法】変更
【補正の内容】
【０００１】
本発明は、情報処理装置、情報処理装置の制御方法及びコンピュータプログラムに関する。
【手続補正４】
【補正対象書類名】明細書
【補正対象項目名】００１７
【補正方法】変更
【補正の内容】
【００１７】
本発明は、第１のユーザ操作に基づきプリンタを探索する探索手段と、前記探索手段により検出されたプリンタに送信する印刷データを生成するプリンタドライバをインストールするインストール手段と、イントールした前記プリンタドライバが生成する印刷データに含まれる印刷設定を設定するための印刷設定画面であって、外部サーバから取得した前記プリンタの能力情報に基づく印刷設定画面を表示するアプリケーションを前記外部サーバから取得する取得手段と、前記アプリケーションと前記能力情報が取得された状態で、第２のユーザ操作を受け付ける受付手段と、前記第２のユーザ操作に基づき、前記アプリケーションに前記印刷設定画面を表示させる表示制御手段と、前記プリンタドライバが生成した印刷データであって、前記印刷設定画面で設定された設定を含む印刷データを前記プリンタに送信する送信手段と、を有することを特徴とする。
【手続補正書】
【提出日】令和3年6月28日(2021.6.28)
【手続補正１】
【補正対象書類名】特許請求の範囲
【補正対象項目名】全文
【補正方法】変更
【補正の内容】
【特許請求の範囲】
【請求項１】
無人飛行体の制御方法であって、
飛行ルートを設定するステップと、
当該飛行ルートを基に無人飛行体の飛行を制御するステップと、を有し、
前記飛行ルートを設定するステップは、
第１の高度帯に、前記無人飛行体が第１の方向に飛行する第１のコリドーを第１の飛行経路に設定し、
当該第１のコリドーとは異なる第２の高度帯に、前記無人飛行体が第１の方向と交差する方向に飛行する第２のコリドーを第２の飛行経路に設定し、
前記第１の高度帯に、前記第１のコリドーに隣接して、前記無人飛行体が当該第１のコリドーとは反対方向に飛行する第３のコリドーを第３の飛行経路を設定し、
前記第２の高度帯に、前記第２のコリドーに隣接して、前記無人飛行体が当該第２のコリドーとは反対方向に飛行する第４のコリドーをさらに第４の飛行経路に設定することを含み、
前記第１のコリドーと前記第３のコリドーとで第１のファイバーを構成し、
前記第２のコリドーと前記第４のコリドーとで第２のファイバーを構成し、
前記第１のファイバーと前記第２のファイバーとが交差する領域をタイルとして設定し、
前記無人飛行体が、前記タイル内を時計回りまたは反時計回りに飛行しながら他のコリドーに飛行経路を変更するよう制御する、
制御方法。
【請求項２】
請求項１に記載の制御方法であって、
前記第１のコリドーは、複数のレーンを有することを特徴とする制御方法。
【請求項３】
請求項２に記載の制御方法であって、
前記複数のレーンは、加速帯、通行帯、減速帯及び停止帯で構成されることを特徴とする制御方法。
【請求項４】
請求項１〜３のいずれか１項に記載の制御方法であって、
前記タイルを、前記無人飛行体が他のコリドーに飛行経路を変更する領域として設定する制御方法。
【請求項５】
請求項１〜４のいずれか１項に記載の制御方法であって、
前記飛行ルートを設定するステップは、前記無人飛行体の出発地及び目的地に関する情報を基に飛行ルートを設定することを含む、制御方法。
【請求項６】
請求項５に記載の制御方法であって、
前記無人飛行体から現在飛行位置に関する情報を基に、当該現在飛行位置が前記飛行ルート上に位置していることを確認する制御方法。
【請求項７】
請求項１〜６のいずれか１項に記載の制御方法であって、
前記タイルを通過する際、一定時間の範囲内において、他の飛行体が通過しないことを確認したとき、最短距離で他のコリドーに飛行経路を変更するようにする制御方法。
【請求項８】
請求項５に記載の制御方法であって、
前記飛行ルートを設定するステップは、さらに、前記飛行ルートに位置するタイルまたはコリドー毎に到着予定時刻を設定し、前記無人飛行体が他の無人飛行体と同一時間に同一タイルまたは同一コリドーを通過しないように時間管理する制御方法。
【請求項９】
請求項１〜８のいずれか１項に記載の制御方法であって、
前記飛行ルートを設定するステップは、さらに、飛行を禁止する空域を登録するステップを有し、前記無人飛行体が、当該飛行を禁止する空域を通過しないように飛行ルートを設定する制御方法。
【請求項１０】
請求項９に記載の制御方法であって、
前記飛行を禁止する空域を登録するステップは、さらに、飛行を禁止する所定の時間帯を登録するステップを含む飛行ルートを設定する制御方法
【請求項１１】
請求項１〜１０のいずれか１項に記載の制御方法であって、
前記飛行ルートにおいて前記無人飛行体と他の飛行体とが接近したときに、当該無人飛行体と当該他の飛行体の各々の特性及び状態のいずれかに基づいて、当該無人飛行体及び  当該他の無人飛行体の通過順序を選択する制御方法。
【請求項１２】
請求項１〜１１のいずれか１項に記載の制御方法であって、
前記飛行ルートにおいて、前記無人飛行体が所定の範囲において飛行するよう制限する制限情報を設定する制御方法。
【手続補正書】
【提出日】令和3年6月28日(2021.6.28)
【手続補正１】
【補正対象書類名】特許請求の範囲
【補正対象項目名】全文
【補正方法】変更
【補正の内容】
【特許請求の範囲】
【請求項１】
ユーザ端末からの要求によってユーザＩＤとクーポン情報とを対応付けて記憶部に記憶する対応付け部と、
前記ユーザ端末または店舗端末の一方から前記ユーザＩＤ、店舗ＩＤおよび利用金額を取得する取得部と、
前記記憶部に記憶された前記クーポン情報の中から、前記取得部によって取得された前記利用金額に対して適用可能な前記クーポン情報を前記ユーザＩＤおよび前記店舗ＩＤに基づいて選択する選択部と
を備え、
前記取得部は、
前記ユーザ端末が店舗内のマーカ画像から前記店舗ＩＤを読み取り、当該店舗ＩＤに前記ユーザＩＤおよび前記利用金額が付与された情報を前記ユーザ端末から取得すること
を特徴とする情報処理装置。
【請求項２】
適用した前記クーポン情報に対して送客手数料を算出し、当該送客手数料を前記店舗端末へ通知する算出部を備えること
を特徴とする請求項１に記載の情報処理装置。
【請求項３】
前記選択部は、
前記利用金額に対してクーポン情報を適用した精算金額が最も安くなる前記クーポン情報を選択すること
を特徴とする請求項１または２に記載の情報処理装置。
【請求項４】
前記選択部は、
前記ユーザ端末から指定された前記クーポン情報を非選択対象とすること
を特徴とする請求項１、２または３に記載の情報処理装置。
【請求項５】
前記利用金額に対してクーポン情報を適用した精算金額に基づいて決済処理を行う決済処理部
を備えることを特徴とする請求項１〜４のいずれか一つに記載の情報処理装置。
【請求項６】
前記決済処理部は、
前記クーポン情報に基づく割引額に関する情報を前記ユーザ端末へ通知すること
を特徴とする請求項５に記載の情報処理装置。
【請求項７】
前記店舗端末は、
前記ユーザ端末に表示されたマーカ画像から少なくとも前記ユーザＩＤを示すコード情報を読み取り、当該ユーザＩＤに前記店舗ＩＤおよび前記利用金額を付与し、
前記取得部は、
前記店舗端末から前記ユーザＩＤ、前記店舗ＩＤおよび前記利用金額を取得すること
を特徴とする請求項１〜６のいずれか一つに記載の情報処理装置。
【請求項８】
前記ユーザ端末は、
表示毎に前記マーカ画像を更新し、
前記取得部は、
前記表示毎に更新された前記マーカ画像に基づく前記ユーザＩＤを取得すること
を特徴とする請求項７に記載の情報処理装置。
【請求項９】
前記決済処理部は、
前記ユーザ端末に決済内容を通知し、前記ユーザ端末から決済承諾を取得した後に、決済処理を行うこと
を特徴とする請求項６に記載の情報処理装置。
【請求項１０】
前記クーポン情報のターゲティング条件に基づき、前記クーポン情報を前記ユーザ端末へ配信する配信部
を備えることを特徴とする請求項１〜９のいずれか一つに記載の情報処理装置。
【請求項１１】
コンピュータが実行する情報処理方法であって、
ユーザ端末からの要求によってユーザＩＤとクーポン情報とを対応付けて記憶部に記憶する対応付け工程と、
前記ユーザ端末または店舗端末の一方から前記ユーザＩＤ、店舗ＩＤおよび利用金額を取得する取得工程と、
前記記憶部に記憶された前記クーポン情報の中から、前記取得工程によって取得された前記利用金額に対して適用可能な前記クーポン情報を前記ユーザＩＤおよび前記店舗ＩＤに基づいて選択する選択工程と
を含み、
前記取得工程は、
前記ユーザ端末が店舗内のマーカ画像から前記店舗ＩＤを読み取り、当該店舗ＩＤに前記ユーザＩＤおよび前記利用金額が付与された情報を前記ユーザ端末から取得すること
を特徴とする情報処理方法。
【請求項１２】
ユーザ端末からの要求によってユーザＩＤとクーポン情報とを対応付けて記憶部に記憶する対応付け手順と、
前記ユーザ端末または店舗端末の一方から前記ユーザＩＤ、店舗ＩＤおよび利用金額を取得する取得手順と、
前記記憶部に記憶された前記クーポン情報の中から、前記取得手順によって取得された前記利用金額に対して適用可能な前記クーポン情報を前記ユーザＩＤおよび前記店舗ＩＤに基づいて選択する選択手順と
をコンピュータに実行させ、
前記取得手順は、
前記ユーザ端末が店舗内のマーカ画像から前記店舗ＩＤを読み取り、当該店舗ＩＤに前記ユーザＩＤおよび前記利用金額が付与された情報を前記ユーザ端末から取得すること
を特徴とする情報処理プログラム。
【手続補正書】
【提出日】令和3年6月30日(2021.6.30)
【手続補正１】
【補正対象書類名】特許請求の範囲
【補正対象項目名】全文
【補正方法】変更
【補正の内容】
【特許請求の範囲】
【請求項１】
撮像画像の撮像画像データを取得する第１の取得手段と、
前記撮像画像データを用いて、前記撮像画像の少なくとも一部を表示システムに表示した場合の表示画像を生成する第１の生成手段と、
前記撮像画像と前記表示画像とを、前記表示システムとは異なる表示装置の一つのスクリーン上に配置して表示するための表示画像データを生成する第２の生成手段とを有することを特徴とする画像処理装置。
【請求項２】
前記表示システムは、湾曲スクリーンであることを特徴とする請求項１に記載の画像処理装置。
【請求項３】
前記表示システムは、複数の平面ディスプレイを組み合わせた構成であることを特徴とする請求項１に記載の画像処理装置。
【請求項４】
前記表示システムの構成を示す表示システム情報を取得する第２の取得手段を有し、
前記第１の生成手段は、前記表示システム情報と前記撮像画像データとに基づいて、仮想空間において前記表示システムに対応するオブジェクトに前記表示画像をレンダリングすることで、前記表示画像を生成することを特徴とする請求項１乃至３の何れか一項に記載の画像処理装置。
【請求項５】
前記仮想空間における仮想視点の位置を設定する第１の設定手段を有し、
前記第１の設定手段は、前記表示装置の姿勢に関する姿勢情報を取得し、前記姿勢情報に基づいて前記仮想視点を設定することを特徴とする請求項１乃至４の何れか一項に記載の画像処理装置。
【請求項６】
前記表示装置は、ヘッドマウントディスプレイであることを特徴とする請求項１乃至５の何れか一項に記載の画像処理装置。
【請求項７】
前記表示システムを鑑賞する際の理想視点の位置を設定する第２の設定手段を有し、
前記第２の設定手段は、前記オブジェクトを前記仮想空間に配置し、前記理想視点の位置から前記オブジェクトに前記表示画像を逆射影することを特徴とする請求項４乃至６の何れか一項に記載の画像処理装置。
【請求項８】
前記撮像画像を撮像している時の撮像装置の撮像パラメータを取得する第３の取得手段とを有し、
前記第１の生成手段は、前記撮像パラメータに基づいて、前記撮像装置が撮像している画像を前記仮想空間に表示するための画像を生成することを特徴とする請求項４乃至７の何れか一項に記載の画像処理装置。
【請求項９】
前記取得された撮像画像と前記生成された表示画像は、前記スクリーン上で重複しないことを特徴とする請求項１乃至５の何れか一項に記載の画像処理装置。
【請求項１０】
コンピュータを、請求項１乃至９の何れか一項に記載の画像処理装置として機能させるためのプログラム。
【請求項１１】
撮像画像の撮像画像データを取得し、
前記撮像画像データを用いて、前記撮像画像の少なくとも一部を表示システムに表示した場合の表示画像を生成し、
前記撮像画像と前記表示画像とを、前記表示システムとは異なる表示装置の一つのスクリーン上に配置して表示するための表示画像データ生成することを特徴とする画像処理方法。
【手続補正２】
【補正対象書類名】明細書
【補正対象項目名】０００６
【補正方法】変更
【補正の内容】
【０００６】
上記課題を解決するため本発明は、撮像画像の撮像画像データを取得する第１の取得手段と、前記撮像画像データを用いて、前記撮像画像の少なくとも一部を表示システムに表示した場合の表示画像を生成する第１の生成手段と、前記撮像画像と前記表示画像とを、前記表示システムとは異なる表示装置の一つのスクリーン上に配置して表示するための表示画像データを生成する第２の生成手段とを有することを特徴とする。
【手続補正書】
【提出日】令和3年6月25日(2021.6.25)
【手続補正１】
【補正対象書類名】特許請求の範囲
【補正対象項目名】全文
【補正方法】変更
【補正の内容】
【特許請求の範囲】
【請求項１】
第１のアバターの仮想空間における第１の位置を示す第１の位置データと、前記第１のアバターの音声データとを取得する取得部と、
前記第１の位置に関する既定の条件が満足するか否かを判定する判定部と、
前記既定の条件が満足すると判定された場合にピア・ツー・ピア型のネットワーク経由で前記音声データを宛先端末へ向けて送信することを決定し、前記既定の条件が満足しないと判定された場合にクライアント／サーバ型のネットワーク経由で前記音声データを前記宛先端末へ向けて送信することを決定する送信制御部と
を具備する、端末。
【請求項２】
前記既定の条件は、前記第１の位置が前記仮想空間における既定のゾーン内にあることである、請求項１記載の端末。
【請求項３】
前記既定のゾーンは、前記仮想空間における既定の地点からの距離に基づいて定められる、請求項２に記載の端末。
【請求項４】
前記仮想空間における２地点間の距離を算出する距離算出部をさらに具備し、
前記取得部は、前記宛先端末に関連付けられる第２のアバターの前記仮想空間における第２の位置を示す第２の位置データをさらに取得し、
前記既定の条件は、前記第１の位置と前記第２の位置との間の距離が閾値未満であることである、
請求項１に記載の端末。
【請求項５】
前記取得部は、前記仮想空間に存在する前記第１のアバターを含む複数のアバターの前記仮想空間における位置を示す位置データを取得し、
前記既定の条件は、前記複数のアバターの前記仮想空間における位置を前記仮想空間における既定の地点から近い順にソートした場合に前記第１の位置が既定の順位以上となることである、
請求項１に記載の端末。
【請求項６】
前記仮想空間における２地点間の距離を算出する距離算出部をさらに具備し、
前記取得部は、前記仮想空間に存在する前記第１のアバターを除く複数のアバターの前記仮想空間における位置を示す位置データをさらに取得し、
前記既定の条件は、前記第１の位置と前記仮想空間に存在する前記複数のアバターの位置との間の距離を昇順にソートした場合に、前記第１の位置と前記宛先端末に関連付けられる第２のアバターの前記仮想空間における位置との間の距離が既定の順位以上となることである、
請求項１に記載の端末。
【請求項７】
前記判定部は、前記第１のアバターが前記仮想空間における既定のオブジェクトを装着しているか否かを判定し、前記第１のアバターが前記既定のオブジェクトを装着していると判定した場合には前記既定の条件が満足するか否かの判定を省略し、
前記送信制御部は、前記第１のアバターが前記既定のオブジェクトを装着していると判定された場合に、前記音声データを前記宛先端末へ向けて送信することを決定する、
請求項１乃至請求項６のいずれか１項に記載の端末。
【請求項８】
前記取得部は、前記第１のアバターの姿勢を決定づける制御データをさらに取得し、
前記送信制御部は、前記既定の条件が満足すると判定された場合に前記音声データと、
前記制御データおよび前記第１の位置データの少なくとも一方を前記宛先端末へ向けて送信することを決定し、前記既定の条件が満足しないと判定された場合に前記音声データを前記宛先端末へ向けて送信せず前記制御データおよび前記第１の位置データの少なくとも一方を前記宛先端末へ向けて送信することを決定する、
請求項１乃至請求項７のいずれか１項に記載の端末。
【請求項９】
コンピュータを、
第１のアバターの仮想空間における第１の位置を示す第１の位置データと、前記第１のアバターの音声データとを取得する手段と、
前記第１の位置に関する既定の条件が満足するか否かを判定する手段と、
前記既定の条件が満足すると判定された場合にピア・ツー・ピア型のネットワーク経由で前記音声データを宛先端末へ向けて送信することを決定し、前記既定の条件が満足しないと判定された場合にクライアント／サーバ型のネットワーク経由で前記音声データを前記宛先端末へ向けて送信することを決定する手段と
して機能させるプログラム。
【手続補正２】
【補正対象書類名】明細書
【補正対象項目名】発明の名称
【補正方法】変更
【補正の内容】
【発明の名称】端末およびプログラム
【手続補正書】
【提出日】令和3年6月25日(2021.6.25)
【手続補正１】
【補正対象書類名】特許請求の範囲
【補正対象項目名】全文
【補正方法】変更
【補正の内容】
【特許請求の範囲】
【請求項１】
電子メールを中継する情報処理装置であって、
電子メールを受け付ける受付手段と、
既に前記受付手段により受け付けた電子メールから、同一または類似する電子メールであって、送信元が異なる電子メールを特定する特定手段と、
を備えることを特徴とする情報処理装置。
【手続補正書】
【提出日】令和3年6月24日(2021.6.24)
【手続補正１】
【補正対象書類名】特許請求の範囲
【補正対象項目名】全文
【補正方法】変更
【補正の内容】
【特許請求の範囲】
【請求項１】
光電変換部をそれぞれが含む複数の画素を有する光電変換装置であって、
前記光電変換部は、第１導電型の第１の半導体領域と、前記第１の半導体領域の下部に設けられた第２導電型の第２の半導体領域とを有し、
前記複数の画素のうちの隣り合う第１画素と第２画素において、前記第１画素の前記第２の半導体領域の下部の領域から、前記第２画素の前記第２の半導体領域の下部の領域に渡って延在する、前記第１導電型の第３の半導体領域を有し、
前記第１画素の前記第２の半導体領域と前記第２画素の前記第２の半導体領域との間において、前記第３の半導体領域よりも下部に配された前記第１導電型の第４の半導体領域を有し、
前記光電変換部が第１半導体基板に配され、
前記画素からの信号が読み出される読み出し回路が第２半導体基板に配され、
前記第１半導体基板と前記第２半導体基板とが積層されていることを特徴とする光電変換装置。
【請求項２】
前記第３の半導体領域の下部であって、前記第１画素の前記第２の半導体領域と平面視で重なる位置に設けられた前記第２導電型の第５の半導体領域と、
前記第３の半導体領域の下部であって、前記第２画素の前記第２の半導体領域と平面視で重なる位置に設けられた前記第２導電型の第６の半導体領域とを有し、
前記第４の半導体領域は、前記第５の半導体領域と前記第６の半導体領域との間に配されることを特徴とする請求項１に記載の光電変換装置。
【請求項３】
前記第５の半導体領域の下部の領域から前記第６の半導体領域の下部の領域に渡って延在する前記第１導電型の第７の半導体領域をさらに有することを特徴とする請求項２に記載の光電変換装置。
【請求項４】
前記複数の画素が複数行および複数列に渡って配され、
前記複数の画素に渡って、前記第３の半導体領域が延在することを特徴とする請求項１〜３のいずれか１項に記載の光電変換装置。
【請求項５】
前記複数の画素に渡って、前記第７の半導体領域が延在することを特徴とする請求項３に記載の光電変換装置。
【請求項６】
前記第２の半導体領域は、入射光に基づく電荷を蓄積する領域であり、
前記第２の半導体領域が前記電荷を蓄積する状態において、
前記第３の半導体領域の、前記第２の半導体領域の下部に位置する領域の一部が空乏化することを特徴とする請求項１〜５のいずれか１項に記載の光電変換装置。
【請求項７】
前記第１の画素は、複数の前記第２の半導体領域を有し、
前記第３の半導体領域は、複数の前記第２の半導体領域の下部に延在していることを特徴とする請求項１〜６のいずれか１項に記載の光電変換装置。
【請求項８】
平面視において、前記第１の画素の複数の前記第２の半導体領域に重なるように１つのマイクロレンズが配されることを特徴とする請求項７に記載の光電変換装置。
【請求項９】
前記第３の半導体領域は、前記第２の半導体領域の一端から他端まで延在することを特徴とする請求項１〜８のいずれか１項に記載の光電変換装置。
【請求項１０】
請求項１〜９のいずれか１項に記載の光電変換装置と、
前記光電変換装置の前記画素から出力される信号を処理する信号処理部とを有することを特徴とする撮像システム。
【請求項１１】
移動体であって、
請求項１〜９のいずれか１項に記載の光電変換装置と、
前記光電変換装置からの信号に基づく視差画像から、対象物までの距離情報を取得する距離情報取得手段と、
前記距離情報に基づいて前記移動体を制御する制御手段とを有することを特徴とする移動体。
【請求項１２】
複数の画素を有する光電変換装置の製造方法であって、
第１導電型の第１の半導体領域と、前記第１の半導体領域の下部に設けられた第２導電型の第２の半導体領域とを形成する第１工程と、
前記複数の画素のうちの隣り合う第１画素と第２画素において、前記第１画素の前記第２の半導体領域の下部の領域から、前記第２画素の前記第２の半導体領域の下部の領域に渡って延在する、前記第１導電型の第３の半導体領域を所定のマスクパターンを用いてイオン注入することによって形成する第２工程と、
前記第１画素の前記第２の半導体領域と前記第２画素の前記第２の半導体領域との間において、前記第３の半導体領域よりも下部に配された前記第１導電型の第４の半導体領域を形成する第３工程と、
前記第３の半導体領域の下部であって、前記第１画素の前記第２の半導体領域と平面視で重なる位置に前記第２導電型の第５の半導体領域と、前記第３の半導体領域の下部であって、前記第２画素の前記第２の半導体領域と平面視で重なる位置に前記第２導電型の第６の半導体領域を形成する第４工程と、
前記所定のマスクパターンを用いて、前記第３の半導体領域の下部に前記第１導電型の第７半導体領域を形成する第５工程と、を有することを特徴とする光電変換装置の製造方法。
【手続補正書】
【提出日】令和3年4月5日(2021.4.5)
【手続補正１】
【補正対象書類名】明細書
【補正対象項目名】００３１
【補正方法】変更
【補正の内容】
【００３１】
図３は、本開示に実施の形態１における図１の加熱ゾーン５と冷却ゾーン６の拡大図である。図３における、ＴＡ１、ＴＡ２、ＴＡ３、ＴＡ４は、図示した箇所における炉内の雰囲気温度の測定位置を示している。測定位置ＴＡ１、ＴＡ４はそれぞれ、回路基板３の搬送方向に平行な方向において、トンネル状カバー１２の加熱ゾーン５側の端部、トンネル状カバー１２の冷却ゾーン６側の端部で、回路基板３の搬送方向に垂直な方向において、同じ位置に設定している。測定位置ＴＡ１、ＴＡ４において、加熱ゾーン５、冷却ゾーン６それぞれのゾーンにおける代表的な温度を測定できるようにしている。また、測定位置ＴＡ２、ＴＡ３は、それぞれ、トンネル状カバー１２内部の空間であって、回路基板３の搬送方向に平行な方向において、遮蔽板１０に対して対称な等距離で、回路基板３の搬送方向に垂直な方向においては、同じ位置に設定している。測定位置ＴＡ２、ＴＡ３において、加熱ゾーン５側のトンネル状カバー１２内部、冷却ゾーン６側のトンネル状カバー１２内部、それぞれの空間における代表的な温度を測定できるようにしている。
【手続補正２】
【補正対象書類名】明細書
【補正対象項目名】００６４
【補正方法】変更
【補正の内容】
【００６４】
図１１に示す、本開示の実施の形態３におけるリフロー炉は、実施の形態２で述べた構成に加え、吸気口１４の位置に第二の遮蔽板２２を設置している。この第二の遮蔽板２２は、回路基板３が通過する搬送路の上部の天面カバーまで延び、左右は炉内側面まで延び、吸気口１４の位置で遮蔽板１０と組み合わせ、炉内の回路基板３の搬送方向に対して垂直な幅方向にわたり、スリット状の吸い込みノズルの機能を果たしている。
【手続補正書】
【提出日】令和3年6月21日(2021.6.21)
【手続補正１】
【補正対象書類名】特許請求の範囲
【補正対象項目名】全文
【補正方法】変更
【補正の内容】
【特許請求の範囲】
【請求項１】
タッチ操作部材が有効状態である場合に前記タッチ操作部材に対する所定のタッチ操作に応じて所定の機能を実行し、
前記タッチ操作部材が制限状態である場合に前記タッチ操作部材に対する前記所定のタッチ操作があっても前記所定の機能を実行しないように制御する制御手段と、
前記制限状態での前記タッチ操作部材に対するタッチ継続時間が第１の時間に達する第１のタッチ操作に応じて前記有効状態に切り替え、
前記有効状態での前記タッチ操作部材に対するタッチ継続時間が前記第１の時間より長い第２の時間に達する第２のタッチ操作に応じて前記制限状態に切り替える切替手段と、を有することを特徴とする電子機器。
【請求項２】
前記制御手段は、前記有効状態において、前記タッチ操作部材に対する前記所定のタッチ操作のタッチ継続時間が前記第１の時間未満であっても当該所定のタッチ操作に応じて前記所定の機能を実行するように制御する
ことを特徴とする請求項１に記載の電子機器。
【請求項３】
前記第１のタッチ操作と前記第２のタッチ操作はいずれも、前記タッチ操作部材のタッチ検知面のうち全体ではなく一部の特定領域に対する、タッチ位置の移動を伴わないタッチ継続操作である
ことを特徴とする請求項１または２に記載の電子機器。
【請求項４】
前記タッチ操作部材は、前記タッチ検知面に対して垂直な方向への突起部に隣接して配置され、
前記特定領域は、前記タッチ検知面のうち前記特定領域と異なる他の領域よりも前記突起部側である
ことを特徴とする請求項３に記載の電子機器。
【請求項５】
前記突起部は撮像装置のファインダーである
ことを特徴とする請求項４に記載の電子機器。
【請求項６】
前記特定領域は、前記タッチ検知面のうち前記特定領域と異なる他の領域よりも撮像装置のグリップ部から相対的に遠い領域である
ことを特徴とする請求項３〜５のいずれか１項に記載の電子機器。
【請求項７】
前記第１の時間は０．３秒以上２秒未満である
ことを特徴とする請求項１〜６のいずれか１項に記載の電子機器。
【請求項８】
前記第２の時間は２秒以上５秒以下である
ことを特徴とする請求項１〜７のいずれか１項に記載の電子機器。
【請求項９】
前記制御手段は、前記有効状態での前記タッチ操作部材に対するタッチ継続時間が前記第１の時間より長く前記第２の時間より短い第３の時間に達する移動を伴わない第３のタッチ操作があった場合には、前記制限状態に遷移することなく、そのタッチによる前記所定の機能を実行しないように制御する
ことを特徴とする請求項１〜８のいずれか１項に記載の電子機器。
【請求項１０】
前記制御手段は、前記第３のタッチ操作があった場合に、そのタッチによる前記所定の機能を実行するか否かをユーザーに問い合わせるように制御する
ことを特徴とする請求項９に記載の電子機器。
【請求項１１】
前記所定の機能は、撮像装置の露出、感度、ホワイトバランス、及び、オートフォーカスの少なくともいずれかに関する設定である
ことを特徴とする請求項１〜１０のいずれか１項に記載の電子機器。
【請求項１２】
前記タッチ操作部材は単一の操作部材である
ことを特徴とする請求項１〜１１のいずれか１項に記載の電子機器。
【請求項１３】
前記タッチ操作部材は非可動の操作部材である
ことを特徴とする請求項１〜１２のいずれか１項に記載の電子機器。
【請求項１４】
前記タッチ操作部材は静電容量方式でタッチを検知する操作部材である
ことを特徴とする請求項１〜１３のいずれか１項に記載の電子機器。
【請求項１５】
タッチ操作部材が有効状態である場合に前記タッチ操作部材に対する所定のタッチ操作に応じて所定の機能を実行し、前記タッチ操作部材が制限状態である場合に前記タッチ操作部材に対する前記所定のタッチ操作があっても前記所定の機能を実行しないように制御する制御ステップと、
前記制限状態での前記タッチ操作部材に対するタッチ継続時間が第１の時間に達する第１のタッチ操作に応じて前記有効状態に切り替え、前記有効状態での前記タッチ操作部材に対するタッチ継続時間が前記第１の時間より長い第２の時間に達する第２のタッチ操作に応じて前記制限状態に切り替える切替ステップと、
を有することを特徴とする電子機器の制御方法。
【請求項１６】
コンピュータを、請求項１〜１４のいずれか１項に記載された電子機器の各手段として機能させるためのプログラム。
【請求項１７】
コンピュータを、請求項１〜１４のいずれか１項に記載された電子機器の各手段として機能させるためのプログラムを格納したコンピュータが読み取り可能な記憶媒体。
【手続補正２】
【補正対象書類名】明細書
【補正対象項目名】０００６
【補正方法】変更
【補正の内容】
【０００６】
上記目的を達成するために、本発明の電子機器は、タッチ操作部材が有効状態である場合に前記タッチ操作部材に対する所定のタッチ操作に応じて所定の機能を実行し、前記タッチ操作部材が制限状態である場合に前記タッチ操作部材に対する前記所定のタッチ操作があっても前記所定の機能を実行しないように制御する制御手段と、前記制限状態での前記タッチ操作部材に対するタッチ継続時間が第１の時間に達する第１のタッチ操作に応じて前記有効状態に切り替え、前記有効状態での前記タッチ操作部材に対するタッチ継続時間が前記第１の時間より長い第２の時間に達する第２のタッチ操作に応じて前記制限状態に切り替える切替手段と、を有することを特徴とする。